(57)【要約】  加熱調理器（１）は、調理器本体（２）と、調理器本体による調理残り時間をセグメントで表示するセグメント表示部（２１）を有する表示部（３）と、調理残り時間をセグメント表示部に表示させる制御部（３０）と、を備え、セグメント表示部は、セグメントで二桁の数字を表示するものであり、制御部は、調理残り時間が１００分以上であるか否かを判定する判定手段（３２）と、判定手段において調理残り時間が１００分以上と判定された場合、調理残り時間を分単位から時間単位に換算する換算手段（３３）と、換算手段において時間単位に換算された調理残り時間を、最大二桁でセグメント表示部に表示させる時間表示手段（３４）と、を有する。
2016139867.tif 000002
【特許請求の範囲】
【請求項１】
調理器本体と、  前記調理器本体による調理残り時間をセグメントで表示するセグメント表示部を有する表示部と、  前記調理残り時間を前記セグメント表示部に表示させる制御部と、を備え、  前記セグメント表示部は、セグメントで二桁の数字を表示するものであり、  前記制御部は、  前記調理残り時間が１００分以上であるか否かを判定する判定手段と、  前記判定手段において前記調理残り時間が１００分以上と判定された場合、該調理残り時間を分単位から時間単位に換算する換算手段と、  前記換算手段において時間単位に換算された前記調理残り時間を、最大二桁で前記セグメント表示部に表示させる時間表示手段と、  を有する加熱調理器。
【請求項２】
前記換算手段は、  前記調理残り時間から１を減算した値を６０で除算し、更に１を加算して、前記調理残り時間を分単位から時間単位に換算するものである請求項１記載の加熱調理器。
【請求項３】
前記制御部は、  前記調理器本体による前記調理残り時間を算出する算出手段を有する請求項１又は２記載の加熱調理器。
【請求項４】
前記表示部は、  前記セグメント表示部の１０の位側に設けられ、時刻のうち時桁をセグメントで表示する時桁セグメント表示部を有し、  前記制御部は、  時刻のうち分桁を前記セグメント表示部に表示させて、前記時桁セグメント表示部及び該セグメント表示部で時刻を表示させるものであり、  前記表示部は、  前記時桁セグメント表示部と前記セグメント表示部との間に約という文字を表示する約表示部を有する請求項１〜３のいずれか１項に記載の加熱調理器。
【請求項５】
前記セグメント表示部に表示される前記調理残り時間が時間単位から分単位に変更される際に、変更された旨を報知する報知部を備える請求項１〜４のいずれか１項に記載の加熱調理器。
【請求項６】
前記調理器本体は、炊飯機能を有し、  前記時間表示手段は、  前記調理器本体による調理が蒸らし工程に移行した後、炊飯量にかかわらず、前記セグメント表示部に表示される前記調理残り時間が減少する間隔を一定にするものである請求項１〜５のいずれか１項に記載の加熱調理器。
【請求項７】
前記時間表示手段は、  前記調理器本体の調理が開始されてから所定の時間が経過した後、前記セグメント表示部に表示された前記調理残り時間の表示を消去するものである請求項１〜６のいずれか１項に記載の加熱調理器。
【請求項８】
前記調理残り時間を前記セグメント表示部に表示させることを前記制御部に指示する表示操作部を備え、  前記時間表示手段は、  前記表示操作部が操作されたときに、前記調理残り時間を前記セグメント表示部に表示させるものである請求項１〜７のいずれか１項に記載の加熱調理器。
【請求項９】
前記調理器本体に近付く人を検出する人検出部を備え、  前記時間表示手段は、  前記人検出部において前記調理器本体に人が近付いたことが検出された場合、前記調理残り時間を前記セグメント表示部に表示させるものである請求項１〜８のいずれか１項に記載の加熱調理器。
【発明の詳細な説明】
【技術分野】
【０００１】  本発明は、調理残り時間を表示する表示部を備える加熱調理器に関する。
【背景技術】
【０００２】  従来、調理残り時間をセグメント表示部に表示する加熱調理器が知られている。特許文献１には、セグメントで二桁の数字を表示するセグメント表示部を備える加熱調理器が開示されている。特許文献１は、調理残り時間が分単位でセグメント表示部に表示されている。なお、特許文献１には、必要に応じて、セグメントで三桁以上の数字を表示するセグメント表示部を用いて、調理残り時間をきめ細かく表示してもよいことが記載されている。
【先行技術文献】
【特許文献】
【０００３】
【特許文献１】特許第４３２９７７６号公報
【発明の概要】
【発明が解決しようとする課題】
【０００４】  しかしながら、特許文献１に開示された加熱調理器は、調理残り時間が１００分を超える場合、三桁以上の数字を表示するセグメント表示部が必要であるため、コストがかかるという課題があった。【０００５】  本発明は、上記のような課題を背景としてなされたもので、調理残り時間が１００分を超えても、その調理残り時間を認識することができつつ、コストの上昇を抑える加熱調理器を提供するものである。
【課題を解決するための手段】
【０００６】  本発明に係る加熱調理器は、調理器本体と、調理器本体による調理残り時間をセグメントで表示するセグメント表示部を有する表示部と、調理残り時間をセグメント表示部に表示させる制御部と、を備え、セグメント表示部は、セグメントで二桁の数字を表示するものであり、制御部は、調理残り時間が１００分以上であるか否かを判定する判定手段と、判定手段において調理残り時間が１００分以上と判定された場合、調理残り時間を分単位から時間単位に換算する換算手段と、換算手段において時間単位に換算された調理残り時間を、最大二桁でセグメント表示部に表示させる時間表示手段と、を有する。
【発明の効果】
【０００７】  本発明によれば、時間表示手段は、時間単位に換算された調理残り時間を、最大二桁でセグメント表示部に表示させる。このため、セグメント表示部は、二桁の数字を表示することができるものであれば、調理残り時間を表示する上で十分である。従って、加熱調理器は、調理残り時間が１００分を超えても、その調理残り時間を認識することができつつ、コストの上昇を抑えることができる。
【図面の簡単な説明】
【０００８】
【図１】本発明の実施の形態１に係る加熱調理器１を示す斜視図である。
【図２】本発明の実施の形態１に係る加熱調理器１のハードウエア構成図である。
【図３】本発明の実施の形態１における表示部３を示す図である。
【図４】本発明の実施の形態１における表示部３の表示例を示す図である。
【図５】本発明の実施の形態１における表示部３の表示例を示す図である。
【図６】本発明の実施の形態１における制御部３０のブロック図である。
【図７】本発明の実施の形態１における報知部１２の一例を示す図である。
【図８】本発明の実施の形態１における報知部１２の一例を示す図である。
【図９】本発明の実施の形態１に係る加熱調理器１の動作を示すフローチャートである。
【図１０】変形例に係る加熱調理器１００を示す斜視図である。
【発明を実施するための形態】
【０００９】  以下、本発明に係る加熱調理器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】実施の形態１．  図１は、本発明の実施の形態１に係る加熱調理器１を示す斜視図である。この図１に基づいて、加熱調理器１について説明する。図１に示すように、加熱調理器１は、調理器本体２と、表示部３と、制御部３０（図２参照）とを備えており、例えば炊飯器である。更に、加熱調理器１は、例えば操作部４と、表示操作部５と、開閉部６と、報知部１２（図２参照）と、人検出部１４（図２参照）とを備えている。
【００１１】  調理器本体２は、炊飯機能を有しており、机等に載置される載置部２ａと、載置部２ａに係止されることによって載置部２ａを覆う蓋部２ｂとを有している。載置部２ａの内部には内釜（図示せず）が収容されており、内釜内に米等が投入される。また、調理器本体２の内部には、加熱部１１（図２参照）が設けられており、加熱部１１は、内釜内に投入された米等を加熱するものである。そして、調理器本体２の内部には、温度検出部１３（図２参照）が設けられており、温度検出部１３は、調理器本体２の内部の温度を検出するものである。温度検出部１３の検出結果は、例えば調理器本体２による調理残り時間の算出等に用いられる。
【００１２】  操作部４は、例えばボタンであり、調理器本体２の調理を開始する調理開始ボタン、及び、調理器本体２が有する調理モードを選択する選択ボタン等を有している。また、表示操作部５は、例えばボタンであり、調理器本体２による調理残り時間を表示部３に表示させることを制御部３０に指示するものである。
【００１３】  開閉部６は、載置部２ａと蓋部２ｂとの係止状態を解除して、蓋部２ｂを開けるものである。この状態で、載置部２ａの内部に収容された内釜に、米等を投入することができる。報知部１２は、例えばスピーカ等である。また、人検出部１４は、調理器本体２に近付く人を検出するものである。
【００１４】  図２は、本発明の実施の形態１に係る加熱調理器１のハードウエア構成図である。図２に示すように、加熱調理器１は、情報受信部１５を備えており、情報受信部１５は、温度検出部１３の検出結果及び人検出部１４の検出結果を受信して、その情報を制御部３０に送信するものである。また、操作部４及び表示操作部５が操作されると、操作された各情報を制御部３０に送信する。制御部３０は、情報受信部１５から受信した情報と、操作部４及び表示操作部５から受信した情報とに基づいて、加熱部１１、報知部１２及び表示部３を制御する。
【００１５】  図３は、本発明の実施の形態１における表示部３を示す図である。図３に示すように、表示部３はセグメント表示部２１を有している。更に、表示部３は、例えば時桁セグメント表示部２２と約表示部２３とを有している。また、表示部３は、白米、無洗米、発芽米、玄米、分づき米等のような米の種類を表示する種類表示部２４を有している。更に、表示部３は、ふつう、かため、やわらか、炊込み、おかゆ、中華粥等のような米の炊き具合を表示するモード表示部２５を有している。
【００１６】  セグメント表示部２１は、調理器本体２による調理残り時間をセグメントで表示するものである。セグメント表示部２１は、セグメントで二桁の数字を表示するものであり、１の位を示す部分と１０の位を示す部分とを有している。また、時桁セグメント表示部２２は、セグメント表示部２１の１０の位側に設けられ、時刻のうち時桁をセグメントで表示するものである。時桁セグメント表示部２２は、セグメントで二桁の数字を表示するものであり、１の位を示す部分と１０の位を示す部分とを有している。
【００１７】  そして、制御部３０は、時刻のうち分桁をセグメント表示部２１に表示させて、時桁セグメント表示部２２及びセグメント表示部２１で時刻を表示させるものである。なお、時桁セグメント表示部２２とセグメント表示部２１との間には、コロンを表示するコロン表示部２６が設けられている。制御部３０は、時桁セグメント表示部２２とセグメント表示部２１とコロン表示部２６とで、時刻を表示させる。
【００１８】  また、約表示部２３は、セグメント表示部２１と時桁セグメント表示部２２との間に「約」という文字を表示するものである。そして、表示部３は、時桁セグメント表示部２２及びセグメント表示部２１の下方に設けられ、「時間分後にできあがり」という文字を表示するできあがり表示部２７を有している。これは、調理残り時間がセグメント表示部２１に表示されるときに使用されるものである。調理残り時間が分単位である場合、「時間」の表示が消去され、「分後にできあがり」が表示される。一方、調理残り時間が時間単位である場合、「分」の表示が消去され、「時間後にできあがり」が表示される。
【００１９】  図４は、本発明の実施の形態１における表示部３の表示例を示す図である。図４に示すように、例えば調理残り時間が分単位であり、約６８分である場合、制御部３０は、セグメント表示部２１に「６８」を表示させる。また、制御部３０は、約表示部２３に「約」を表示させる。更に、制御部３０は、できあがり表示部２７に「分後にできあがり」を表示させる。このように、制御部３０は、表示部３に「約６８分後にできあがり」を表示させる。
【００２０】  図５は、本発明の実施の形態１における表示部３の表示例を示す図である。図５に示すように、例えば調理残り時間が時間単位であり、約２時間である場合、制御部３０は、セグメント表示部２１に「２」を表示させる。また、制御部３０は、約表示部２３に「約」を表示させる。更に、制御部３０は、できあがり表示部２７に「時間後にできあがり」を表示させる。このように、制御部３０は、表示部３に「約２時間後にできあがり」を表示させる。
【００２１】  図６は、本発明の実施の形態１における制御部３０のブロック図である。図６に示すように、制御部３０は、判定手段３２と、換算手段３３と、時間表示手段３４とを有している。更に、制御部３０は、例えば算出手段３１を有している。
【００２２】  算出手段３１は、調理器本体２による調理残り時間を算出するものであり、例えば温度検出部１３の検出結果に基づいて調理残り時間を算出する。なお、加熱調理器１は、炊飯量等の重量を検出する重量検出部（図示せず）を備えていてもよい。この場合、算出手段３１は、重量検出部の検出結果に基づいて調理残り時間を算出する。
【００２３】  判定手段３２は、調理残り時間が１００分以上であるか否かを判定するものである。
【００２４】  換算手段３３は、判定手段３２において調理残り時間が１００分以上と判定された場合、調理残り時間を分単位から時間単位に換算するものである。具体的には、換算手段３３は、調理残り時間から１を減算した値を６０で除算し、更に１を加算して、調理残り時間を分単位から時間単位に換算するものである。即ち、換算手段３３は、下記式（１）を用いて、調理残り時間を分単位から時間単位に換算するものである。
【００２５】  時間単位の調理残り時間＝（分単位の調理残り時間−１）／６０＋１・・・（１）
【００２６】  時間表示手段３４は、換算手段３３において時間単位に換算された調理残り時間を、最大二桁でセグメント表示部２１に表示させるものである。また、時間表示手段３４は、調理器本体２による調理が蒸らし工程に移行した後、炊飯量にかかわらず、セグメント表示部２１に表示される調理残り時間が減少する間隔を一定にするものである。
【００２７】  調理残り時間は、５．５合炊きの炊飯器である場合、３合炊きに合わせて表示されている。米の量が３合より多い場合、調理時間は３合炊きよりも長いため、実際の調理残り時間は、表示される調理残り時間よりも長くなる。また、米の量が３合より少ない場合、調理時間は３合炊きよりも短いため、実際の調理残り時間は、表示された調理残り時間よりも短くなる。
【００２８】  ここで、調理が蒸らし工程に移行すると、調理残り時間は、炊飯量にかかわらず同等となる。即ち、調理が蒸らし工程に移行したときに、実際の調理残り時間が確定する。このため、蒸らし工程において、表示される調理時間が減少する間隔を変化させて、実際に調理が終了する時間に、表示される調理残り時間が零になるように整合させている。時間表示手段３４は、調理器本体２による調理が蒸らし工程に移行した後、炊飯量にかかわらず、セグメント表示部２１に表示される調理残り時間が減少する間隔を一定にするものである。これにより、表示される調理残り時間の減少が実際の時間と齟齬があることにより使用者が違和感を覚えることを抑制している。
【００２９】  また、時間表示手段３４は、調理器本体２の調理が開始されてから所定の時間が経過した後、セグメント表示部２１に表示された調理残り時間の表示を消去するものである。更に、時間表示手段３４は、表示操作部５が操作されたときに、調理残り時間をセグメント表示部２１に表示させるものである。更にまた、時間表示手段３４は、人検出部１４において調理器本体２に人が近付いたことが検出された場合、調理残り時間をセグメント表示部２１に表示させるものである。
【００３０】  ここで、報知部１２は、セグメント表示部２１に表示される調理残り時間が時間単位から分単位に変更される際に、変更された旨を報知するものである。制御部３０は、セグメント表示部２１に表示される調理残り時間が時間単位から分単位に変更される際に、変更された旨を報知部１２に報知させるものである。報知部１２がスピーカである場合、報知部１２は、調理残り時間が時間単位から分単位に変更されたことを、音声で報知する。これにより、使用者は、時間単位から分単位に変更されたことを認識することができる。
【００３１】  図７，図８は、本発明の実施の形態１における報知部１２の一例を示す図である。図７，図８に示すように、報知部１２は、スピーカに限らず、セグメント表示部２１による表示パターンで実現してもよい。制御部３０は、セグメント表示部２１のうち、先ず、１個のセグメントの表示を消去する。次に、制御部３０は、そのセグメントを表示させ、そのセグメントに隣接するセグメントの表示を消去する。これを繰り返すことによって、セグメント表示部２１において、セグメントの表示が消去された部分が回転する。
【００３２】  図９は、本発明の実施の形態１に係る加熱調理器１の動作を示すフローチャートである。次に、本実施の形態１に係る加熱調理器１の動作について説明する。図９に示すように、表示部３への表示がスタートすると、先ず、算出手段３１によって、調理残り時間が算出される（ステップＳＴ１）。次に、判定手段３２によって、調理残り時間が１００分以上であるか否かが判定される（ステップＳＴ２）。
【００３３】  調理残り時間が１００分未満と判定された場合（ステップＳＴ２のＮｏ）、時間表示手段３４によって、調理残り時間が分単位のまま、最大二桁でセグメント表示部２１に表示される（ステップＳＴ４）。その後、ステップＳＴ５に進む。一方、調理残り時間が１００分以上と判定された場合（ステップＳＴ２のＹｅｓ）、換算手段３３によって、調理残り時間が分単位から時間単位に換算される。具体的には、上記式（１）を用いて換算される。そして、時間表示手段３４によって、時間単位に換算された調理残り時間が、最大二桁でセグメント表示部２１に表示される（ステップＳＴ３）。その後、ステップＳＴ５に進む。
【００３４】  ステップＳＴ５において、制御部３０によって１分が経過したか否かが判断される。１分が経過していない場合（ステップＳＴ５のＮｏ）、ステップＳＴ２に戻る。これに対し、１分が経過した場合（ステップＳＴ５のＹｅｓ）、調理残り時間が１カウントダウンされる（ステップＳＴ６）。なお、ステップＳＴ６では、カウントダウンされるのみで、セグメント表示部２１の表示は変更されない。その後、制御部３０によって調理残り時間が０であるか否かが判定される（ステップＳＴ７）。調理残り時間が０でない場合（ステップＳＴ７のＮｏ）ステップＳＴ２に戻る。一方、調理残り時間が０である場合（ステップＳＴ７のＹｅｓ）、表示部３への表示が終了する。
【００３５】  次に、本実施の形態１に係る加熱調理器１の作用について説明する。時間表示手段３４は、時間単位に換算された調理残り時間を、最大二桁でセグメント表示部２１に表示させる。このため、セグメント表示部２１は、二桁の数字を表示することができれば、調理残り時間を表示する上で十分である。よって、加熱調理器１において、三桁以上の数字を表示するセグメント表示部２１が不要となる。従って、加熱調理器１は、調理残り時間が１００分を超えても、その調理残り時間を認識することができつつ、コストの上昇を抑えることができる。
【００３６】  ここで、調理残り時間は、上記式（１）を用いて時間単位に換算される。式（１）より、１００分から１２０分までが２時間に換算され、１２１分から１８０分までが３時間に換算される。このように、換算された調理残り時間は、実際の調理残り時間とは若干相違する。しかし、調理残り時間が１００分以上であるときは、ほかの食材を急いで準備する等といった緊急性は低い。このため、換算された調理残り時間が実際の調理残り時間と若干相違しても、使用者の利便性は損なわれない。
【００３７】  また、セグメント表示部２１と時桁セグメント表示部２２との間には、約表示部２３が設けられている。このため、「約」という文字の直後に、セグメント表示部２１に表示された調理残り時間が表示される。従って、調理残り時間の視認性が向上する。
【００３８】  従来のように、調理残り時間が３桁で表示される場合、１００の位が時桁セグメント表示部２２に表示されてしまい、「約」という文字よりも前に位置してしまう。また、これを解消するために、時桁セグメント表示部２２の前にも「約」という文字を表示させようとすると、その分コストがかかる。更に、コロン表示部２６が設けられているため、１００の位と１０の位との間に隙間が生じてしまう。なお、「約」という文字を桁毎に表示させようとすると、その分コストがかかる。更に、従来は、表示が見難くなる場合、調理残り時間を表示しないようにしていた。本実施の形態１において、時間表示手段３４は、時間単位に換算された調理残り時間を、最大二桁でセグメント表示部２１に表示させるため、このような問題が生じない。
【００３９】  また、時間表示手段３４は、調理器本体２の調理が開始されてから所定の時間が経過した後、セグメント表示部２１に表示された調理残り時間の表示を消去する。これにより、調理残り時間の表示が不要である場合に、余計な電力を消費せず、省エネルギに資する。更に、時間表示手段３４は、表示操作部５が操作されたときに、調理残り時間をセグメント表示部２１に表示させるものである。これにより、調理残り時間の表示が不要である場合に、余計な電力を消費せず、省エネルギに資する。更にまた、時間表示手段３４は、人検出部１４において調理器本体２に人が近付いたことが検出された場合、調理残り時間をセグメント表示部２１に表示させるものである。これにより、調理残り時間の表示が不要である場合に、余計な電力を消費せず、省エネルギに資する。
【００４０】  （変形例）  図１０は変形例に係る加熱調理器１００を示す斜視図である。図１０に示すように、変形例に係る加熱調理器１００は、オーブンである。そして、加熱調理器１００は、調理器本体２と、表示部３と、制御部３０（図示せず）と、操作部４と、表示操作部５とを備えている。
【００４１】  このように、加熱調理器１００は、炊飯器に限らずオーブンとすることもできる。この場合、加熱調理器１００は、自動調理モード等の機能を有しており、自動調理モードの調理残り時間が表示部３のセグメント表示部２１に表示される。
【００４２】  なお、加熱調理器１は、ＩＨクッキングヒータとしてもよい。この場合、加熱調理器１は、自動調理モード等の機能を有しており、自動調理モードの調理残り時間が表示部３のセグメント表示部２１に表示される。
【符号の説明】
【００４３】  １  加熱調理器、２  調理器本体、２ａ  載置部、２ｂ  蓋部、３  表示部、４  操作部、５  表示操作部、６  開閉部、１１  加熱部、１２  報知部、１３  温度検出部、１４  人検出部、１５  情報受信部、２１  セグメント表示部、２２  時桁セグメント表示部、２３  約表示部、２４  種類表示部、２５  モード表示部、２６  コロン表示部、２７  できあがり表示部、３０  制御部、３１  算出手段、３２  判定手段、３３  換算手段、３４  時間表示手段、１００  加熱調理器。
【図１】
2016139867.tif 000003
【図２】
2016139867.tif 000004
【図３】
2016139867.tif 000005
【図４】
2016139867.tif 000006
【図５】
2016139867.tif 000007
【図６】
2016139867.tif 000008
【図７】
2016139867.tif 000009
【図８】
2016139867.tif 000010
【図９】
2016139867.tif 000011
【図１０】
2016139867.tif 000012
【国際調査報告】
2016139867.tif 000013
2016139867.tif 000014
2016139867.tif 000015
2016139867.tif 000016